(57)【要約】  無線通信デバイスは、コントローラに接続されたトランシーバを備える。コントローラは、トランシーバに、アイドルモードによる基地局上に位置するとき、該基地局から基準信号を含むダウンリンク送信を受信させるとともに、基準信号に基づき仮想ページングチャネル受信の品質メトリックを推定し、推定した品質メトリックに基づき隣接基地局の再選択評価を実行するか否かを決定するように構成されている。
2012527857.tif 000002
【特許請求の範囲】
【請求項１】
無線通信デバイスにおける方法であって、
前記デバイスにおいて、アイドルモードによる基地局上に位置するとき、該基地局から基準信号を含むダウンリンク送信を受信する工程と、
前記デバイスにおいて、前記基準信号に基づき仮想ページングチャネル受信の品質メトリックを推定する工程と、
推定した品質メトリックに基づき、前記デバイスによって隣接基地局の再選択評価を実行するか否かを決定する工程と、を備える方法。
【請求項２】
前記デバイスにおいて、隣接基地局からの送信による干渉を推定する工程と、
前記基準信号および推定した干渉に基づき仮想ページングチャネル受信の品質メトリックを推定する工程と、を含む請求項１に記載の方法。
【請求項３】
前記基地局上に位置するときのページング機会中、該基地局から基準信号を含むダウンリンク送信を受信する工程と、
前記デバイスにおいて、前記ページング機会中、隣接基地局からの送信による干渉を推定する工程と、
前記基準信号および推定した干渉に基づき仮想ページングチャネル受信の品質メトリックを推定する工程と、を含む請求項１に記載の方法。
【請求項４】
次によって、すなわち、
前記デバイスにおいて、隣接基地局の各々からの送信に関連した干渉を推定する工程と、
前記デバイスにおいて、隣接基地局の対応する基準信号と隣接基地局の対応する干渉とに基づき、隣接基地局の各々の仮想ページングチャネル受信の品質メトリックを推定する工程と、によって、推定した品質メトリックが閾値未満であるとき、隣接基地局の再選択評価を実行する工程と、
最高順位の仮想ページング受信を有する隣接基地局を再選択する工程と、をさらに備える請求項１に記載の方法。
【請求項５】
推定した品質メトリックが閾値未満であるとき、隣接基地局の再選択評価を実行する工程を含む、請求項１に記載の方法。
【請求項６】
前記閾値はシステム情報ブロードキャスト上で基地局から受信される、請求項５に記載の方法。
【請求項７】
前記閾値は無線資源制御メッセージ上で基地局から受信される、請求項５に記載の方法。
【請求項８】
隣接基地局の再選択評価を実行する工程は、
前記デバイスにおいて、隣接基地局の各々からの送信に関連した干渉を推定する工程と、
前記デバイスにおいて、隣接基地局の対応する基準信号と隣接基地局の対応する干渉とに基づき、隣接基地局の各々の仮想ページングチャネル受信の品質メトリックを推定する工程とを含み、
前記方法は、
最高順位の仮想ページング受信を有する隣接基地局を再選択する工程をさらに備える、請求項５に記載の方法。
【請求項９】
推定した品質メトリックが閾値未満であるとき、隣接基地局の再選択評価を実行する工程と、
最高順位の隣接基地局が許可されない場合、前記基地局のキャリアと異なるキャリア上の別の隣接基地局を再選択する工程と、をさらに備える請求項１に記載の方法。
【請求項１０】
推定した品質メトリックが閾値未満であるとき、隣接基地局の再選択評価を実行する工程と、
最高順位の隣接基地局が許可される場合、前記基地局のキャリアと同じキャリア上の該基地局を再選択する工程と、をさらに備える請求項１に記載の方法。
【請求項１１】
前記デバイスにおいて、隣接基地局の各々の基準信号受信パワーを推定することによって、推定した品質メトリックが閾値未満であるとき、隣接基地局の再選択評価を実行する工程と、
最高順位の基準信号受信パワーを有する隣接基地局を再選択する工程と、をさらに備える請求項１に記載の方法。
【請求項１２】
無線通信デバイスであって、
トランシーバと、
前記トランシーバに接続されたコントローラと、を備え、
前記コントローラは、前記トランシーバに、アイドルモードによる基地局上に位置するとき、該基地局から基準信号を含むダウンリンク送信を受信させるように構成されており、
前記コントローラは、前記基準信号に基づき仮想ページングチャネル受信の品質メトリックを推定するように構成されており、
前記コントローラは、推定した品質メトリックに基づき、前記デバイスによって隣接基地局の再選択評価を実行するか否かを決定するように構成されている、デバイス。
【請求項１３】
前記コントローラは、前記基準信号および推定した干渉に基づき仮想ページングチャネル受信の品質メトリックを推定するように構成されている、請求項１２に記載のデバイス。
【請求項１４】
前記コントローラは、前記トランシーバに、前記基地局上に位置するときのページング機会中、該基地局から基準信号を含むダウンリンク送信を受信させるように構成されており、
前記コントローラは、前記ページング機会中、干渉を推定するように構成されており、
前記コントローラは、前記基準信号および推定した干渉に基づき仮想ページングチャネル受信の品質メトリックを推定するように構成されている、請求項１２に記載のデバイス。
【請求項１５】
前記コントローラは、前記デバイスにおいて、隣接基地局の各々からの送信に関連した干渉を推定することと、前記デバイスにおいて、隣接基地局の対応する基準信号と隣接基地局の対応する干渉とに基づき、隣接基地局の各々の仮想ページングチャネル受信の品質メトリックを推定することとによって、推定した品質メトリックが閾値未満であるときに、隣接基地局の再選択評価を実行するように構成されており、
前記コントローラは、最高順位の隣接基地局を再選択するように構成されている、請求項１４に記載のデバイス。
【請求項１６】
前記コントローラは、推定した品質メトリックが閾値未満であるとき、隣接基地局の再選択評価を実行するように構成されており、
前記コントローラは、最高順位の隣接基地局が許可されない場合、前記基地局のキャリアと異なるキャリア上の別の隣接基地局を再選択するように構成されている、請求項１２に記載のデバイス。
【請求項１７】
前記コントローラは、推定した品質メトリックが閾値未満であるとき、隣接基地局の再選択評価を実行するように構成されており、
前記コントローラは、最高順位の隣接基地局が許可される場合、前記基地局のキャリアと同じキャリア上の該基地局を再選択するように構成されている、請求項１２に記載のデバイス。
【請求項１８】
無線通信デバイスにおける方法であって、
前記デバイスにおいて、システム情報ブロードキャスト（ＳＩＢ）メッセージを含むダウンリンク送信を受信する工程と、
前記デバイスにおいて、アイドルモードによる基地局上に位置するとき、前記ＳＩＢメッセージに基づき仮想ページングチャネル受信の品質メトリックを推定する工程と、
推定した品質メトリックに基づき、前記デバイスによって隣接基地局の再選択評価を実行するか否かを決定する工程と、を備える方法。
【請求項１９】
前記デバイスにおいて、隣接基地局の各々からの送信に関連した干渉を推定することと、前記デバイスにおいて、隣接基地局の対応する干渉に基づき、隣接基地局の各々の仮想ページングチャネル受信の品質メトリックを推定することとによって、推定した品質メトリックが閾値未満であるときに、隣接基地局の再選択評価を実行する工程と、
最高順位の仮想ページング受信を有する隣接基地局を再選択する工程と、をさらに備える請求項１８に記載の方法。
【請求項２０】
前記デバイスにおいて、隣接基地局の各々の基準信号受信パワーを推定することによって、推定した品質メトリックが閾値未満であるとき、隣接基地局の再選択評価を実行する工程と、
最高順位の基準信号受信パワーを有する隣接基地局を再選択する工程と、をさらに備える請求項１８に記載の方法。
【発明の詳細な説明】
【技術分野】
【０００１】
本発明は、一般に無線通信に関し、より詳細には、無線通信システムにおけるアイドルモード無線通信端末による無線通信端末にて測定または推定された信号品質メトリックに基づく再選択に関する。
【背景技術】
【０００２】
一部の異種の無線通信ネットワーク、例えば、第３世代パートナシップ・プロジェクト（３ＧＰＰ）ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ＬＴＥ（Ｌｏｎｇ  Ｔｅｒｍ  Ｅｖｏｌｕｔｉｏｎ）ネットワークは、帯域幅（ＢＷ）の配置が重なるマクロセル（ＭｅＮＢ）およびホームｅＮＢ（ＨｅＮＢ）セルを含み、これによってユーザ機器（ＵＥ）が干渉を受ける場合がある。一部のＨｅＮＢは閉じたサブスクライバグループ（ＣＳＧ）であり、そのグループに属するＵＥにのみサービスを提供する。
【０００３】
ＬＴＥの第８版（Ｒｅｌ−８）におけるアイドルモードでの再選択の挙動は、ＴＳ  ３６．３０４  ｖ８．５．０により指定されている。ＬＴＥ  Ｒｅｌ−８における既存の再選択基準では、隣接基地局の再選択評価のトリガを行う機構として、サービングセルから基準信号受信パワー（ＲＳＲＰ）が用いられる。この方法は、ＵＥが基地局のカバレッジ領域から出る時を認識する際には有効であるものの、ＲＳＲＰでは、ＵＥが隣接基地局からの干渉を受けるとき（例えば、ＭｅＮＢ上に位置する（ｃａｍｐ）アイドルモードのＵＥが隣接ＨｅＮＢからの干渉を受けるとき）に再選択評価が開始されない。
【０００４】
図１には、ＭｅＮＢ上に位置するＵＥが、ＨｅＮＢの付近に位置するときにＨｅＮＢからの干渉を受ける第１のシナリオについて示す。図２には、ＨｅＮＢ上に位置するＵＥが、ＨｅＮＢの付近に位置するときにＭｅＮＢからの干渉を受ける別のシナリオについて示す。そうした干渉は、アイドルモードのＵＥによるページングの消失および関連する結果（例えば、ネットワーク発呼の消失）を生じる場合がある。
【０００５】
「ＣＳＧセルに対するセル再選択を伴うＩＦＲＩの利用」と題するＲ２−０９２４１６には、周波数間再選択インジケータ（ＩＦＲＩ）ビットが隣接ＨｅＮＢによってセットされたことを検出すると、ＭｅＮＢに位置するＵＥが異なるキャリアを再選択することを試みる、すなわち、周波数間の再選択を実行する機構について記載されている。ここで、セットされたＩＦＲＩビットは、ＨｅＮＢおよびＭｅＮＢが共通のキャリア周波数を共有することを示す。また、ＨｅＮＢによってＩＦＲＩビットがセットされたとき、ＭｅＮＢに位置するアイドルモードのＵＥが固定の持続時間（例えば、３００秒）に渡り、その共有するキャリア周波数を再選択から「除外する（ｂａｒ）」ことも示唆されている。一部のシステム（例えば、ＬＴＥ  Ｒｅｌ−９）では、ＩＦＲＩビットがセットされるか否かをＵＥが判定可能となるよりも前にＳＩＢ送信が復号される必要がある。
【０００６】
図１のシナリオにおける干渉に対する代替の一解決策は、サービングセルまたはサービング基地局の基準信号受信品質（ＲＳＲＱ；ｒｅｆｅｒｅｎｃｅ  ｓｉｇｎａｌ  ｒｅｃｅｉｖｅｄ  ｑｕａｌｉｔｙ）が閾値未満に低下したとき、周波数間再選択評価を開始することである。しかしながら、この提案には、とりわけ、干渉を測定する方法についての合意が欠けていることや、ページングチャネル受信の信頼性がサービング基地局の送信アンテナ構成、物理ダウンリンク制御チャネル（ＰＤＣＣＨ）のコードレートまたは集合（ａｇｇｒｅｇａｔｉｏｎ）レベル、ＨｅＮＢからの周波数に依存する干渉（例えば、部分周波数再利用（ｆｒａｃｔｉｏｎａｌ  ｆｒｅｑｕｅｎｃｙ  ｒｅｕｓｅ）による）など、様々な要因に依存するという事実を含め、様々な欠点が存在する。そのため、ＲＳＲＱがページングチャネル性能の良いインジケータでないシナリオが存在する。
【０００７】
ＲＳＲＱに基づく提案では、原則として、周波数間再選択評価を開始するべく潜在的に不十分なページング性能を有するＭＵＥのトリガを行うが、ＬＴＥ第８版に定義されているＲＳＲＱメトリックでは、この目的の達成に失敗する見込みが大きい。この仕様ではＲＳＳＩの推定に用いられる干渉測定について十分に定義されておらず（例えば、ＲＳＲＰがナローバンドであってもワイドバンドであっても、ＲＢまたはサブフレームが用いられる仕様は存在しない）、その結果、様々なＵＥの実装が異なる挙動を示すことになり得る。さらに、その仕様によってすべてのＵＥについて干渉測定の一貫性が得られることになるとしても、ページングチャネル受信の信頼性がｅＮＢの送信アンテナ構成、ＰＤＣＣＨコードレートまたは集合レベル、ＨｅＮＢからの周波数に依存する干渉（例えば、部分周波数再利用による）など様々な要因に依存するという事実によって、ＲＳＲＱがページングチャネル性能の良いインジケータでないシナリオが存在する。
【図面の簡単な説明】
【０００８】
【図１】第１の従来技術の無線通信ネットワークの一部を示す図。
【図２】第２の従来技術の無線通信ネットワークの一部を示す図。
【図３】アイドルモードで動作するユーザ端末によって受信される周期的なページング信号を示す図。
【図４】処理のフロー図。
【発明を実施するための形態】
【０００９】
添付の図面とともに以下の詳細な説明を充分に参照することによって、当業者には、本発明の様々な態様、特徴、および利点がより明らかとなる。図面は明瞭さのための単純化されている場合があり、必ずしも縮尺通りに描かれていない。
【００１０】
無線通信システムは、一般に、時間および／または周波数および／または空間の領域においてサービングリモートユニットについて地理的領域を通じて分散されるネットワークを形成する１つ以上の固定の基地インフラストラクチャユニットを含む。基地ユニットは、アクセスポイント（ＡＰ）、アクセス端末（ＡＴ）、基地、基地局（ＢＳ）、ノードＢ（ＮＢ）、ｅノードＢ（ｅＮＢ）、ホームノードＢ（ＨＮＢ）、ホームｅノードＢ（ＨｅＮＢ）、中継ノード（ＲＮ）、または本技術分野において用いられる他の用語で呼ばれることもある。この１つ以上の基地ユニットは各々、ダウンリンク送信用の１つ以上の送信器と、アップリンク送信用の１つ以上の受信器とを備える。基地ユニットは、一般に、１つ以上の対応する基地ユニットに通信可能に接続された１つ以上のコントローラを含む、無線接続ネットワークの一部である。各無線接続ネットワークは、一般に、他のネットワーク（とりわけ、インターネットおよび公衆交換電話網（ＰＳＴＮ）など）に接続されてよい１つ以上のコアネットワークに通信可能に接続されている。無線接続ネットワークおよびコアネットワークにおけるそれらの要素および他の要素を示しはしないが、一般に、そうした要素は当業者に知られている。
【００１１】
システムの１つ以上の基地ユニットは各々、無線通信リンクを介してサービングエリア（例えば、セル、セルセクタ）内の複数のリモートユニットにサービス提供する。リモートユニットは固定であっても、移動体であってもよい。リモートユニットは、サブスクライバユニット（ＳＵ）、移動体、移動局（ＭＳ）、ユーザ、端末、加入者局（ＳＳ）、ユーザ機器（ＵＥ）、ユーザ端末（ＵＴ）、無線通信デバイス、または本技術分野において用いられる他の用語で呼ばれることもある。各リモートユニットも、１つ以上の送信器および１つ以上の受信器を備える。リモートユニットは、アップリンク通信信号または送信を介して基地ユニットと通信を行う。時々、この基地ユニットは、そのリモートユニットに「サービス提供する」と呼ばれる、すなわち、そのリモートユニットに接続されている、またはそのリモートユニットのアンカーセルである。リモートユニットは、半二重（ＨＤ）トランシーバを備えても、全二重（ＦＤ）トランシーバを備えてもよい。半二重トランシーバは送信および受信を同時に行わないが、全二重ＵＥは同時に行う。リモートユニットは、中継器を介して基地ユニットと通信を行うこともできる。
【００１２】
一実施形態では、無線通信システムは、ＥＵＴＲＡまたは３ＧＰＰ第８版とも呼ばれる、３ＧＰＰ  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ＬＴＥプロトコル、その後の世代に準拠する。基地ユニットは、ダウンリンク上で直交周波数分割多重（ＯＦＤＭ）変調方式を用いて送信し、ユーザ端末は、アップリンク上でシングルキャリア周波数分割多元接続（ＳＣ−ＦＤＭＡ）方式を用いて送信する。より一般的には、無線通信システムは他の既存のまたは将来のプロトコルの中から、他の何らかのオープンまたはプロプライエタリな通信プロトコル（例えば、ＷｉＭＡＸ）を実装することができる。本開示は、特定の無線通信システムアーキテクチャまたはプロトコルにより実装されることを意図したものではない。アーキテクチャには、マルチキャリアＣＤＭＡ（ＭＣ−ＣＤＭＡ）、マルチキャリア直接シーケンスＣＤＭＡ（ＭＣ−ＤＳ−ＣＤＭＡ）、１次元または２次元の拡散による直交周波数−符号分割多重（ＯＦＣＤＭ）などの拡散技術の使用も含まれる。本開示の特徴を実装するアーキテクチャは、より単純な時間および／または周波数分割多重／多元接続の技術、またはそれらの技術の組み合わせに基づくものであってもよい。代替の実施形態では、無線通信システムは、次に限定されないが、ＴＤＭＡまたは直接シーケンスＣＤＭＡを含む、他の通信システムプロトコルを利用することもできる。通信システムは、ＴＤＤ（時分割複信）またはＦＤＤ（周波数分割複信）システムであってもよい。
【００１３】
図１では、基地局１０２（例えば、ＭｅＮＢ）は、無線通信リンクを介して、対応するサービング領域（例えば、セル、セルセクタ）内のリモートユニット１０４にサービス提供する。ＭｅＮＢによってサービス提供されるリモートユニットも、本明細書ではＭＵＥと呼ぶ。また、図１には、ＭＵＥの付近に位置するホームｅＮＢ（ＨｅＮＢ）１０６も示す。ＨｅＮＢによるダウンリンク（ＤＬ）送信は、ＭＵＥ１０４によって受信されるＤＬ送信に干渉する。図２では、基地局２０２（例えば、ＭｅＮＢ）はＤＬ送信を行う。このＤＬ送信は、リモートユニット２０６にサービス提供するＨｅＮＢ２０４からのＤＬ送信と干渉する。ＨｅＮＢによってサービス提供されるリモートユニットも、本明細書ではＨＵＥと呼ぶ。一部のＨｅＮＢは、閉じたサブスクライバグループ（ＣＳＧ）であり、そのグループに属するＵＥにのみサービスを提供する。より一般的には、しかしながら、ＨｅＮＢは、そのカバレッジ領域内の任意のＵＥにサービス提供し得る。より一般的には、図１および図２におけるＨｅＮＢは、別の基地局であり得る。
【００１４】
一般に、基地局上に位置するアイドルモードＵＥは、基地局上に位置するとき、ページングチャネルまたはその一部を受信するように構成されている。例えば、図１では、ＭＵＥ１０４は、ＭｅＮＢ１０２上に位置しており、図２では、ＨＵＥ２０６は、ＨｅＮＢ２０４上に位置する。アイドルモードでは、ＵＥは省電力スリープモードから周期的に覚醒し、ページング機会（ｐａｇｉｎｇ  ｏｃｃａｓｉｏｎ）中にページング信号を検出する。図３には、周期的なページング機会３０２について示す。各ページング機会は１つ以上のサブフレーム３１０を含み、サブフレーム３１０の少なくとも一部は、以下にさらに示すようにページング機会中にＵＥによって受信される。この例示的なサブフレームは、時間および周波数の範囲を有する。
【００１５】
図４では、４０２にて、基地局上に位置するアイドルモードＵＥは、その基地局からの基準信号を含むダウンリンク送信を受信する。一部の無線通信システムでは、この基準信号はパイロット信号とも呼ばれる。図３では、基準信号またはパイロット信号は、サブフレーム３１０の制御領域３２０に位置する。ＬＴＥ  Ｒｅｌ−８では、基準信号、ＰＤＣＣＨおよび他の情報は、制御域においてシンボル上にインターリーブ化される。このため、この本開示の態様では、ＵＥは、１つ以上のページング機会中、１つ以上の基準信号またはパイロット信号を受信する。一実施形態では、図２のコントローラは、メモリに記憶されたデジタル命令によって構成されるデジタルプロセッサであり、トランシーバに、アイドルモードでのサービング基地局上に位置するとき、ページング機会中に基準信号を受信させる。これに代えて、コントローラによって実行される機能がハードウェア等価回路によって実装されてもよい。
【００１６】
図４では、４０４にて、ＵＥは、受信される基準信号（そのセルに特異的な基準信号（ＣＲＳ）とも呼ばれることがある）に基づき、仮想ページングチャネル受信の品質メトリックを推定する。一実施形態では、ＵＥは、対応するページング機会（ＰＯ）のサブフレームの周波数範囲におけるサブバンドの基準信号受信パワー（ＲＳＲＰ；Ｒｅｆｅｒｅｎｃｅ  Ｓｉｇｎａｌ  Ｒｅｃｅｉｖｅｄ  Ｐｏｗｅｒ）を測定する。用語「サブバンド」は、サブキャリアのグループまたは一組の連続したリソースブロックを指す場合がある。一実施形態では、サブバンドは、１つのサブキャリア（１５ｋＨｚ）または１グループのサブキャリアに相当する。より一般的には、ＲＳＲＰのワイドバンド測定はＵＥによって行われてよい。一実施形態では、図２のコントローラは、メモリに記憶されたデジタル命令によって、仮想ページングチャネルの品質メトリックを推定するように構成される。
【００１７】
一実施形態では、サービングセル基準信号受信パワー（ＲＳＲＰ）は、ダウンリンク制御情報（ＤＣＩ；Ｄｏｗｎｌｉｎｋ  Ｃｏｎｔｒｏｌ  Ｉｎｆｏｒｍａｔｉｏｎ）フォーマット１Ｃ受信のブロックエラーレート（ＢＬＥＲ）を予測するために用いられる。他の実施形態では、ＲＳＲＰは他のＤＣＩフォーマットのＢＬＥＲを予測するために用いられ得る。ＢＬＥＲは、他のマッピング方法に加え、ビット当たり平均相互情報量（ＭＭＩＢ；Ｍｅａｎ  Ｍｕｔｕａｌ  Ｉｎｆｏｒｍａｔｉｏｎ  ｐｅｒ  Ｂｉｔ）、ＳＩＮＲの有効級数（ＥＥＳＭ；Ｅｆｆｅｃｔｉｖｅ  Ｅｘｐｏｎｅｎｔｉａｌ  Ｓｕｍ  ｏｆ  ＳＩＮＲ）など、既知の方法を用いて推定されてよい。ＬＴＥ  Ｒｅｌ−８では、サービングｅＮＢは、ＰＤＣＣＨ送信（例えば、ＳＩＭＯ、ＳＦＢＣ、またはＳＦＢＣ−ＦＳＴＤ）に用いられるＵＥに対しアンテナ構成を送信する。この送信構成によって、ＰＤＣＣＨ符号語がアンテナポートおよび資源素子（ＲＥ）上でどのように物理的に送信されるかが示される。また、この情報は、ＵＥがＤＣＩフォーマット１ＣのＢＬＥＲを計算するために必要である。
【００１８】
ＤＣＩフォーマット１Ｃ符号語では、可変のＣＲＳ対ＰＤＣＣＨ  ＲＥのパワーブースト（−６ｄＢ〜４ｄＢ）、集合レベル（＝１，２，４，８のＣＣＥ）、および制御送信に用いられるＯＦＤＭシンボル数（＝１，２，３のシンボル）が用いられることが可能であるので、ＵＥは、何らかのデフォルト値（例えば、最良状況でのカバレッジに対応する）を仮定してもよく、これに代えて、それらのパラメータのうちの一部または全部がサービング（Ｈ）ｅＮＢによって信号で送られてもよい。このＵＥは、全基地局（ｅＮＢであり、ＨｅＮＢに限られない）に対するＤＣＩフォーマット１Ｃに関連した送信パラメータに関する１つの仮定を行う必要がある。これに代わる場合、サービングｅＮＢおよび隣接ｅＮＢによって用いられるパラメータがｅＮＢによって信号で送られる必要がある。
【００１９】
これに代えて、ＤＣＩフォーマットのＢＬＥＲを予測する代わりに、所定のＰＤＳＣＨペイロードのＢＬＥＲまたはＭＣＳレベルが用いられてもよく、上述の干渉および送信パラメータを推定するための原理が用いられてもよい。仮想ＰＤＳＣＨペイロードのＢＬＥＲ、またはＭＣＳレベルは、サブバンド（またはサブキャリア）レベルにおいて評価される基準信号対ノイズ比（ＲＳ−ＳＩＮＲ）に基づき決定されてよい。
【００２０】
代替の一実施形態では、仮想ページングチャネル受信の品質メトリックは、基準信号に基づき、また１つ以上の隣接基地局からの推定または測定された干渉に基づく。図１では、例えば、ＨｅＮＢ１０６は、図１のＭｅＮＢ１０２からの送信と干渉する。一実施形態では、品質メトリックはセル特異的な基準信号（ＣＲＳ）を用いて計算される。ＣＲＳからサブキャリアＳＩＮＲを推定することに加えて、送信モード（例えば、ＳＩＭＯ、ＳＦＢＣ、ＳＦＢＣ−ＦＳＴＤ）、制御シンボル数、ＰＤＣＣＨ  ＲＥ上で用いられるパワーブースト、ＢＷなどの副情報が、ＢＬＥＲの計算には必要である。セル特異的な基準信号（ＣＲＳ）が送信されるサブキャリアは、そのセルからの他の送信を含まない。一実施形態では、各サブバンド（または小さな時間−周波数グリッド（例えば、１ミリ秒×９０ｋＨｚ）における１組のサブキャリア）内では、コヒーレント／非コヒーレント処理によって、またはチャネル推定を用いて受信信号からサービングセル送信を消去して干渉を推定することによって、パイロットパワーおよび干渉サブキャリアパワーが計算される。例えば、チャネル推定は、２つの１−Ｄ  ＭＭＳＥ推定器（時間および周波数の分離可能）に基づいてもよく、２−Ｄ  ＭＭＳＥ推定器に基づいてもよい。コヒーレント／非コヒーレント積算が用いられる場合、平均ＲＳＲＰや、サブバンドを通じた平均干渉パワーのみが計算されてもよい。他方、チャネル推定が用いられる場合、サブキャリアレベルＲＳＲＰが決定される。この処理は、通常、サブバンド毎に実行される。一実施形態では、サブバンドの粒度は、１０ＭＨｚのダウンリンク（ＤＬ）帯域幅（ＢＷ）当たり６つの物理資源ブロック（ＰＲＢ）である。干渉は、サブフレーム、またはＰＯに対応するサブフレームの一部のみに対し推定されてもよい。
【００２１】
一実施形態では、ＲＳ−ＳＩＮＲに基づくＢＬＥＲ決定は、通常、次の工程を含む。サブフレーム内の時間−周波数グリッドにより符号語を「搬送する」ＲＥの組は、送信パラメータの組（例えば、集合レベル、制御シンボル数、送信モード、すなわち、ＳＩＭＯ，ＳＦＢＣ，ＳＦＢＣ−ＦＳＴＤなど）から決定される。仮想符号語を「搬送する」ＲＥの組に対応するチャネル係数が取得される。平均サブバンドレベル干渉パワーは、例えば、コヒーレント／非コヒーレント積算によって決定される。仮想符号語を「搬送する」ＲＥの組に対応するチャネル係数は、チャネル推定および補間から取得される。その２つから、ＲＥの組に対応するＲＳ−ＳＩＮＲが計算される。仮定された送信パラメータから導出される必要パワーブースト（例えば、ＰＤＣＣＨ対ＲＳパワーブースト＝３ｄＢ）は、ＲＥの組に対応するＰＤＣＣＨ−ＳＩＮＲを取得するように計算されたＲＳ−ＳＩＮＲに対し適用される。ＥＥＳＭまたはＭＭＩＢなど単一のメトリックは、上述にように計算されたＰＤＣＣＨ−ＳＩＮＲから計算される。ＥＥＳＭ／ＭＭＩＢは、ＰＤＣＣＨ  ＲＥに対応するＰＤＣＣＨ−ＳＩＮＲ推定値の組から取得される負でない実数である。参照テーブルまたはマッピング関数は、ＥＥＳＭ／ＭＭＩＢからＢＬＥＲを決定するために用いられる。
【００２２】
図４では、４３０にて、ＵＥは、推定された品質メトリックに基づき、１つ以上の隣接基地局の再選択評価を実行するか否かを決定する。推定された品質メトリックが閾値未満であるとき、隣接基地局の再選択評価が一般に実行される。品質メトリックがＤＣＩフォーマット１Ｃまたは他の送信のＢＬＥＲに基づく例示的な実施形態では、ＢＬＥＲが指定された閾値（経験的なデータまたはシミュレーションに基づき決定されてよい）を超えるときに再選択評価が実行される。一実施形態では、品質メトリックは（１−ＢＬＥＲ）と表現され得る。一実施形態では、サービングセルは、そのシステム情報ブロードキャスト上でＵＥによって用いられる品質メトリックの閾値を送信する。一代替の実施形態では、サービングセルは、無線資源制御（ＲＲＣ）構成メッセージに対し用いられる閾値を送信する。両方の場合において、ＵＥは、再選択評価を開始させる前に、この情報を復号することを要求される。
【００２３】
図４では、４４０にて、ＵＥは、推定された品質メトリックが閾値未満であるとき、隣接基地局の再選択評価を実行する。この再選択評価では、隣接基地局の対応する基準信号と隣接基地局の対応する干渉とに基づき、隣接基地局の各々の仮想ページングチャネル受信の品質メトリックが推定される。隣接基地局の品質メトリックは、上述のように、ページング機会中に推定され得る。一部の例では、ＵＥは、隣接基地局の品質メトリックを、より頻繁に推定し得る。この場合にも、隣接基地局の各々に対する仮想ページングチャネルの品質メトリックは、ＲＳＲＰまたは上述の代替のうちの１つに基づきＤＣＩフォーマット１Ｃ送信のＢＬＥＲを決定することによって、推定されてよい。
【００２４】
図４では、４５０にて、ＵＥは、再選択評価に基づき再選択を行う。一例では、ＵＥは、最高順位の仮想ページング受信を有する隣接基地局を再選択する（再選択が許可されることを仮定する）。例えば、ＵＥは、サービング基地局のキャリアと同じキャリア上の最高順位の隣接基地局を再選択してよい（その隣接基地局が許可される場合）。最高順位の隣接基地局が許可されない場合、ＵＥは、サービング基地局のキャリアと異なるキャリア上の別の隣接基地局を再選択する。一実施形態では、図２のコントローラは、メモリに記憶されたデジタル命令によって、再選択評価および再選択を実行するように構成される。代替の順位基準には、隣接基地局に対応する基準信号受信パワーに基づく順位決定が含まれる。ＵＥは、最高順位の基準信号受信パワーを有する隣接基地局を再選択する（その基地局が許可される場合）。
【００２５】
代替の一実施形態では、ＵＥは、基地局からシステム情報ブロードキャスト（ＳＩＢ）メッセージを含むダウンリンク送信を受信する。この実施形態では、ＵＥは、基準信号の代わりにＳＩＢメッセージに基づき、仮想ページングチャネル受信の品質メトリックを推定する。ＳＩＢ−１は、８０ミリ秒のＴＴＩ（送信／再送信）を有する。他のＳＩＢ−ｘ（ｘ＝２など）の反復周期性は、ＳＩＢ−１から決定可能である。ＳＩＢ−ｘのアドレスは、ＤＣＩフォーマット１Ｃによって決定される。ＵＥは、ＳＩＢ−ｘ符号語を、また失敗したＣＲＣチェックから復号を物理的に試みることが可能であり、ＤＣＩフォーマット１Ｃ送信に関連したＢＬＥＲを計算することが可能である（ＤＣＩフォーマット１Ｃエラーイベントが総エラーイベントにおいて優勢であり、かつ、ＰＤＳＣＨ  ＢＬＥＲはボトルネックでないと仮定する）。
【００２６】
一実施形態では、ＵＥは、順位決定基準に基づき最高順位の隣接基地局を再選択する。隣接基地局が一定の持続時間に渡り最高順位の基地局のままである場合、順位決定基準には、基準信号受信パワー、または仮想ページングチャネル受信の品質が含まれ得る。隣接基地局が最高順位の基地局であるか否かを評価するための持続時間は、サービング基地局によって信号で送られてよい。
【００２７】
またＵＥは、非サービングセル（ｅＮＢ２、ｅＮＢ３などとして表される）からの仮想符号語送信に対応するＢＬＥＲも計算する。これについて、ＵＥは、ＰＯがどこに存在するかに関して仮定を行う必要がある場合もあり、加えて、ｅＮＢ２、ｅＮＢ３などのうちＭＩＢ／ＳＩＢ−１／ＳＩＢ−２／などの読取を行ってＤＬ  ＢＷなどの様々なパラメータを決定する、送信アンテナ構成およびページングチャネル構成を送信する（そうした事項がＬＴＥ第９版により定義される場合）などの必要がある場合もある。これに代えて、サービングセルｅＮＢ１が、隣接セルリスト情報の一部として必要なパラメータを示す場合もある。ｅＮＢ１に対するＢＬＥＲ推定値が閾値を超える場合、ＵＥは、そのＢＬＥＲ推定値が最低な許可された非サービングｅＮＢ（すなわち、ｅＮＢ２、ｅＮＢ３などのうちの１つのセル）を再選択する。この代替案によって、アイドルモードのＵＥに対する最良なページングチャネル受信を可能とするセルの再選択が可能となる。
【００２８】
代替の一実施形態では、ＵＥは、それぞれ各隣接基地局およびサービング基地局の対応するＳＩＢメッセージに関連するＤＣＩフォーマット１Ｃ送信に関連したブロックエラーレートに基づき、各隣接基地局およびサービング基地局に対する仮想ページングチャネル受信の品質メトリックを推定する。ＵＥがＳＩＢメッセージを復号する必要はない。ＵＥは、ＤＣＩフォーマット１Ｃ送信を復号し、ＳＩＢメッセージ送信のアドレスを決定してＢＬＥＲを推定する必要しかない。
【図１】
2012527857.tif 000003
【図２】
2012527857.tif 000004
【図３】
2012527857.tif 000005
【図４】
2012527857.tif 000006
【国際調査報告】
2012527857.tif 000007
2012527857.tif 000008
2012527857.tif 000009